(57)【特許請求の範囲】
【請求項１】
生産ラインの稼動により連続的に移送されるとともに連結片を介して連続し、液体又は水分を含む内容物を収納した熱可塑性樹脂製の個装袋を個別に分離して分配する分配装置と、熱可塑性樹脂製の個装袋を連結片から折り畳んで収納する収納体との間に、上下に開口部を設けて熱可塑性樹脂製の個装袋の通過通路を形成した筒状本体を配置し、この筒状本体内の通過通路に臨ませて、波長０．７μｍ〜３．０μｍの中赤外線を照射するハロゲンランプを配置し、このハロゲンランプで通過通路内の熱可塑性樹脂製の個装袋を照射可能とするとともにこのハロゲンランプを、熱可塑性樹脂製の個装袋が連続的に移送されている状態と、その連続移送が停止した状態とを、生産ラインの稼動と停止として感知し、点灯と消灯を制御する事を特徴とする連続した熱可塑性樹脂製の個装袋の折癖矯正装置。
【請求項２】
熱可塑性樹脂製の個装袋を照射するハロゲンランプは、熱可塑性樹脂製の個装袋の移送と移送停止を感知する分配装置の感知センサーから送られる信号により、点灯及び消灯のタイミングを調整可能とした事を特徴とする請求項１の連続した熱可塑性樹脂製の個装袋の折癖矯正装置。
【請求項３】
熱可塑性樹脂製の個装袋を照射するハロゲンランプは、連続した熱可塑性樹脂製の個装袋の移送経路に設けた、熱可塑性樹脂製の個装袋の移送と移送停止とを感知する感知センサーから送られる信号により、点灯及び消灯のタイミングを調整可能とした事を特徴とする請求項１の連続した熱可塑性樹脂製の個装袋の折癖矯正装置。
【請求項４】
熱可塑性樹脂製の個装袋を照射するハロゲンランプは、加熱本体の上下の開口部に配置した、熱可塑性樹脂製の個装袋の移送に連動して回転可能な熱可塑性樹脂製の個装袋の整列移動用のガイドローラーの、回転と停止を検知する感知センサーから送られる信号により、点灯及び消灯のタイミングを調整可能とした事を特徴とする請求項１の連続した熱可塑性樹脂製の個装袋の折癖矯正装置。
【請求項５】
熱可塑性樹脂製の個装袋を照射するハロゲンランプは、感知センサーから送られる信号を受信して、ハロゲンランプの点灯と消灯とのタイミングを一定間隔で遅らせる事が可能な遅延タイマーを設けた事を特徴とする請求項２、３または４の連続した熱可塑性樹脂製の個装袋の折癖矯正装置。
【発明の詳細な説明】
【０００１】
【産業上の利用分野】
本発明は、ラーメンのタレ、液体スープ、スパイス、加薬、納豆のタレ、カラシ等の食品や、シャンプー、薬品等を収納し、連結片を介して複数個連結した熱可塑性樹脂製の個装袋を個別に分離して分配する分配装置に於いて、連結片の折癖を矯正するための、連続した熱可塑性樹脂製の個装袋の折癖矯正装置に係るものである。
【０００２】
【従来の技術】
従来、連結片で連結した複数の熱可塑性樹脂製の個装袋を、連結片部分から一個ずつ切離して容器等に分配する分配装置では、図７に示す如く、一対の搬送ベルト(１)にて連続した熱可塑性樹脂製の個装袋(２)を水平方向に移送し、この移送先側に配置したカッター(３)にて、熱可塑性樹脂製の個装袋(２)の連結片(４)を切断するものが存在した。そして、この個別に切り離された熱可塑性樹脂製の個装袋(２)を、図７の一点鎖線で示す如く、吸着パッド(５)にて吸着し、コンベアーベルト(６)にて運ばれるカップ容器(７)等の投入目的部に、水平に投入する事により、分配処理を行うものである。
【０００３】
【発明が解決しようとする課題】
しかしながら、この連続した熱可塑性樹脂製の個装袋(２)は、図６に示す如く、一定長さで折り畳まれて、箱等の収納体(８)に収納されているため、この折り畳み位置では、連結片(４)に強い折癖を生じていた。このように連結片(４)に折癖を生じた熱可塑性樹脂製の個装袋(２)では、図７の実線で示す如く、切り離し位置に送り出すと、連結片(４)の折癖部分から下方向に垂れ下がってしまう。そのため、カッター(３)にて連結片(４)を切断した後に、吸着パッド(５)にて熱可塑性樹脂製の個装袋(２)を吸着する事ができず、投入ミスを生じ易いものであった。
【０００４】
この不具合を解消するため、図６に示す如く、熱可塑性樹脂製の個装袋(２)の移送経路に、折癖の矯正装置(１０)を配置した従来技術が存在する。この矯正装置(１０)は、上部に開口部(１１)を設けた箱形の加熱本体(１２)の下方に、ニクロム線式ヒーター、石英管ヒーター、セラミックヒーター等の熱源(１３)と送風機(１４)を配置している。そして、加熱本体(１２)内を連続した熱可塑性樹脂製の個装袋(２)が通過する際に、前記熱源(１３)と送風機(１４)を用いて、下方から熱風を吹き付ける事により、連結片(４)の折癖を矯正しようとするものである。また、加熱本体(１２)の内部には、上下に複数のガイドローラー(１５)を配置し、このガイドローラー(１５)間を連続した熱可塑性樹脂製の個装袋(２)が折返し通過する事により、移動距離を長くし、長時間の加熱を可能としていた。
【０００５】
この熱可塑性樹脂製の個装袋(２)の連結片(４)の折癖を矯正するには、１２０〜１６０度の温度で２０〜３０秒間加熱する必要があった。しかしながら、前述の如き熱源(１３)では、加熱本体(１２)内の温度を１２０〜１６０度まで高めるには、電源を投入してから、数分〜数十分の時間が必要であった。従って、分配装置の運転開始後しばらくは、折癖の矯正を行う事ができなかった。更に、１２０〜１６０度の温度で２０〜３０秒間、熱可塑性樹脂製の個装袋(２)を加熱すると、内容物の温度が上昇して変質を生じてしまう。そのため、実際の矯正作業では、加熱本体(１２)内の温度を１００度以上とする事ができなかった。しかし、１００度よりも低い温度だと、長時間加熱しても、連結片(４)の折癖を充分に矯正する事ができなかった。
【０００６】
また、生産ラインのトラブル等でラインを停止した場合、そのまま熱に晒されてしまうし、熱源(１３)の電源を切っても、数分〜数十分は加熱本体(１２)内の温度が下がらない。従って、加熱本体(１２)内で停止した熱可塑性樹脂製の個装袋(２)は、長時間加熱されてしまい、内容物の変質を生じ易いものとなっていた。
【０００７】
本発明は上述の如き課題を解決しようとするものであって、連続した複数の熱可塑性樹脂製の個装袋の連結片の折癖を、確実に矯正可能な矯正装置を得ようとするものである。この優れた折癖の矯正効果により、熱可塑性樹脂製の個装袋の分配作業を効率的に行い、製品の生産性を向上させる。また、この連結片の折癖の矯正処理を、内容物を変質する事のない手段で、効率的に行うものである。
【０００８】
【課題を解決するための手段】
本発明は上述の如き課題を解決するため、生産ラインの稼動により連続的に移送されるとともに連結片を介して連続し、液体又は水分を含む内容物を収納した熱可塑性樹脂製の個装袋を個別に分離して分配する分配装置と、熱可塑性樹脂製の個装袋を連結片から折り畳んで収納する収納体との間に、上下に開口部を設けて熱可塑性樹脂製の個装袋の通過通路を形成した筒状本体を配置し、この筒状本体内の通過通路に臨ませて、波長０．７μｍ〜３．０μｍの中赤外線を照射するハロゲンランプを配置し、このハロゲンランプで通過通路内の熱可塑性樹脂製の個装袋を照射可能とするとともにこのハロゲンランプを、熱可塑性樹脂製の個装袋が連続的に移送されている状態と、その連続移送が停止した状態とを、生産ラインの稼動と停止として感知し、点灯と消灯を制御して成るものである。
【０００９】
また、熱可塑性樹脂製の個装袋を照射するハロゲンランプは、熱可塑性樹脂製の個装袋の移送と移送停止を感知する分配装置の感知センサーから送られる信号により、点灯及び消灯のタイミングを調整可能としても良い。
【００１０】
また、熱可塑性樹脂製の個装袋を照射するハロゲンランプは、連続した熱可塑性樹脂製の個装袋の移送経路に設けた、熱可塑性樹脂製の個装袋の移送と移送停止とを感知する感知センサーから送られる信号により、点灯及び消灯のタイミングを調整可能としても良い。
【００１１】
また、熱可塑性樹脂製の個装袋を照射するハロゲンランプは、加熱本体の上下の開口部に配置した、熱可塑性樹脂製の個装袋の移送に連動して回転可能な熱可塑性樹脂製の個装袋の整列移動用のガイドローラーの、回転と停止を検知する感知センサーから送られる信号により、点灯及び消灯のタイミングを調整可能としても良い。
【００１２】
また、熱可塑性樹脂製の個装袋を照射するハロゲンランプは、感知センサーから送られる信号を受信して、ハロゲンランプの点灯と消灯とのタイミングを一定間隔で遅らせる事が可能な遅延タイマーを設けても良い。
【００１３】
【作用】
本発明は上述の如く構成したものであるから、連続する熱可塑性樹脂製の個装袋の分配処理過程で、折癖を生じた連結片の矯正処理を行うには、収納体内に折り畳んで収納された連続する熱可塑性樹脂製の個装袋の一端を、矯正装置の筒状本体の下方の開口部から、筒状本体内に挿入し、この筒状本体内の通過通路を通過させた後、上方の開口部を介して筒状本体から突出させ、分配装置の移送手段にセットする。そして、連続した熱可塑性樹脂製の個装袋の分配装置を起動すると、移送手段の移送力により、収納体の熱可塑性樹脂製の個装袋が分配装置側に連続的に移送される。この移送過程で、熱可塑性樹脂製の個装袋が矯正装置内の通過通路を通過する事により、折癖を生じた連結片の矯正処理が行われる。
【００１４】
この矯正処理は、筒状本体に配置したハロゲンランプにより行われるが、このハロゲンランプから照射される光は、殆どが不可視光線の赤外線であるため、熱源として高効率なエネルギー源であり、短時間で折癖の矯正が可能となる。また、ハロゲンランプは、点灯後は約１秒で最大光量と熱量に達するので、筒状本体内は、直ちに折癖の矯正が可能な状態となるとともに、電源切断後では１〜２秒で、急激に光量と熱量が減少して、必要以上に内容物の加熱を行わない特性を持つ。
【００１５】
従って、矯正装置の通過通路内を通過する際に、連続した熱可塑性樹脂製の個装袋にハロゲンランプの赤外線が照射されると、熱可塑性樹脂製の個装袋を形成するＰＡ、ＰＥＴ、ＰＥ等の熱可塑性樹脂が短時間高温で加熱され、連結片の折癖が平坦に矯正される。また、このように折癖を効果的に矯正できるので、赤外線の照射が短時間で済むし、この赤外線の波長では、熱可塑性樹脂製の個装袋の内容物、特に液体の加熱効果が低いものである。そのため、本発明の矯正装置では、内容物の変質を良好に防止しながら、優れた矯正処理を行う事ができる。
【００１６】
そして、分配装置のトラブル等により、熱可塑性樹脂製の個装袋の移送が一時的に停止しても、ハロゲンランプを消灯する事により、ハロゲンランプの光量と熱量が１〜２秒で急激に減少し、筒状本体内の温度が迅速に低下する。そのため、通過通路内で停止した熱可塑性樹脂製の個装袋が、長時間加熱される事がなく、内容物の変質を良好に防止するものとなる。
【００１７】
このように、ハロゲンランプは、連結片の折癖を良好に矯正可能であるとともに、従来で使用したニクロム線式ヒーター、石英管ヒーター、セラミックヒーター等に比べ、温度調節等のコントロールが行い易いものである。また、空気を汚さずクリーンで、安全性にも優れるとともに、小型で軽量である等、様々な優れた特性を持つものである。
【００１８】
また、ハロゲンランプは、無色の石英ガラス管等を使用する事により、赤外線を照射するものとしても良い。また、石英ガラス管の表面に赤色セラミックコーティングしたもの等を使用する事により、波長０．７μｍ〜３．０μｍの中赤外線を照射する。この中赤外線は、熱可塑性樹脂製の個装袋の素材である熱可塑性樹脂の軟化を促進するので、高い折癖の矯正効果を持つとともに、液体等の内容物の加熱作用は低く、内容物の変質防止が高いものである。
【００１９】
また、生産ラインの稼働と停止に対応して、ハロゲンランプの点灯及び消灯を行うタイミングは、熱可塑性樹脂製の個装袋の移送と移送停止を感知する分配装置の感知センサーから送られる信号により、調整可能とするものであっても良い。または、連続した熱可塑性樹脂製の個装袋の移送経路に設けた、熱可塑性樹脂製の個装袋の移送と移送停止とを感知する感知センサーから送られる信号により行っても良い。また、加熱本体の上下の開口部に配置した、熱可塑性樹脂製の個装袋の移送に連動して回転可能な熱可塑性樹脂製の個装袋の整列移動用のガイドローラーの、回転と停止を検知する感知センサーから送られる信号により行っても良い。何れの場合でも、熱可塑性樹脂製の個装袋が連続的に移送されている状態と、その連続移送が停止した状態とを、生産ラインの稼働と停止として感知し、ハロゲンランプ点灯と消灯を制御するスイッチ等に感知信号を送信するものである。
【００２０】
また、生産ラインの停止に連動して、直ちにハロゲンランプの消灯を行うと、矯正装置の通過通路内に停止した熱可塑性樹脂製の個装袋に、赤外線の照射が十分に行われない事がある。すると、熱可塑性樹脂製の個装袋の性質や厚さ等によっては、折癖が良好に矯正されないものとなる。そのため、ハロゲンランプに遅延タイマーを設けて、前記各感知センサーから送られる信号を受信してから一定時間経過後に、ハロゲンランプの消灯を行えば、通過通路内の熱可塑性樹脂製の個装袋に、十分な量の赤外線を照射して、折癖を確実に矯正する事ができる。
【００２１】
また、生産ラインの再稼働時に、遅延タイマーにより、ハロゲンランプの点灯も一定時間遅らせれば、既に矯正処理が行われた通過通路内の熱可塑性樹脂製の個装袋が、再加熱されるのを防ぐ事ができる。そして、新たに矯正装置内に熱可塑性樹脂製の個装袋が移送されたタイミングで、赤外線を照射する事により、効率的な矯正処理を行う事が可能となる。
【００２２】
【実施例】
以下本発明をカップ麺又は納豆の生産ラインに於いて実施した一例を図面に於て説明すれば、(２０)は従来公知の分配装置で、スープ、薬味、タレ、カラシ等を収納し、連結片(２１)を介して連結した複数の熱可塑性樹脂製の個装袋(２２)を、一個又は複数個毎に分離して、投入目的部に投入するものである。この分配装置(２０)は、一対の搬送ベルト(２３)を配置した移送手段(２４)にて、熱可塑性樹脂製の個装袋(２２)を挟持して水平に移送可能としている。この移送先側に配置したカッター(２５)にて連結片(２１)を切断して、個別の熱可塑性樹脂製の個装袋(２２)に分離する。そして、この個別の熱可塑性樹脂製の個装袋(２２)を、吸着パッド(２６)にて吸引し、コンベアーベルト(２７)上のカップ容器(２８)内に投入するものである。
【００２３】
また、本実施例の熱可塑性樹脂製の個装袋(２２)は、透明又は半透明のＰＡ、ＰＥ、ＰＥＴ等の熱可塑性樹脂で形成し、内容物を外部から確認可能としている。そして、この連続した熱可塑性樹脂製の個装袋(２２)を、図１に示す如く、箱等の大型の収納体(３０)に、一定の長さで連結片(２１)を折り曲げて収納している。
【００２４】
そして、分配装置(２０)と収納体(３０)との間の熱可塑性樹脂製の個装袋(２２)の移送経路に、連結片(２１)の折癖を矯正するための矯正装置(３１)を配置している。この矯正装置(３１)は、四角形の筒状に形成した筒状本体(３２)の上下に、各々開口部(３３)(３４)を設けるとともに、内部に熱可塑性樹脂製の個装袋(２２)の通過通路(３５)を設けている。また、筒状本体(３２)内には、通過通路(３５)に臨ませて、ハロゲンランプ(３６)を上下方向に２本配置し、通過通路(３５)内の熱可塑性樹脂製の個装袋(２２)を照射可能としている。更に、通過通路(３５)とハロゲンランプ(３６)との間には、複数本の保護パイプ(３７)を配置する事により、通過通路(３５)を通過中の熱可塑性樹脂製の個装袋(２２)が、ハロゲンランプ(３６)と直に接触するのを防止している。
【００２５】
このハロゲンランプ(３６)は、無色の石英ガラス管等を使用しても良いが、本実施例では、石英ガラス管の表面に赤色セラミックコーティングしたものを使用している。そして、波長０．７μｍ〜３．０μｍの中赤外線を照射可能とする事により、熱可塑性樹脂の軟化を促進するが、短時間の照射であるため、内容物、特に液体の温度上昇を防止可能としている。
【００２６】
尚、本実施例では、連結片(２１)を含む一個の熱可塑性樹脂製の個装袋(２２)の長さを６０mmとし、移送手段(２４)により、２秒間隔で４個ずつの熱可塑性樹脂製の個装袋(２２)を矯正装置(３１)内に投入可能としている。つまり、熱可塑性樹脂製の個装袋(２２)は１２０mm/sのスピードで通過通路(３５)内を通過するので、ハロゲンランプ(３６)のガラス管長を３６０mmとする事により、各熱可塑性樹脂製の個装袋(２２)には約３秒間、中赤外線を照射可能としている。また、設置場所の高さに余裕がある場合は、矯正装置(３１)を長尺に形成し、ガラス管長の長いハロゲンランプ(３６)を一本だけ配置する事により、弱めの中赤外線を長く照射するように形成しても良いし、強い中赤外線を照射し、熱可塑性樹脂製の個装袋(２２)の通過スピードを速くしても良い。
【００２７】
また、ハロゲンランプ(３６)の消灯と点灯とは、筒状本体(３２)の外部に設けた制御機構(３８)にて制御している。この制御機構(３８)は、分配装置(２０)の何れかの位置に配置した、熱可塑性樹脂製の個装袋(２２)の移送と移送停止を感知する感知センサーからの感知信号を受信する事により、ハロゲンランプ(３６)の点灯と消灯処理を行っている。
【００２８】
この感知センサーとして、本実施例では矯正装置(３１)と分配装置(２０)との間の熱可塑性樹脂製の個装袋(２２)の移送経路に、透過センサー(４１)を配置している。この透過センサー(４１)は、透明な連結片(２１)と、不透明な内容物の収納部分とを、光の透過により感知するものである。この光の透過と不透過の連続的な遷移により、熱可塑性樹脂製の個装袋(２２)の移送と移送停止とを判別し、ハロゲンランプ(３６)の制御機構(３８)に感知信号を送信する。この信号を受信した制御機構(３８)では、直ちにハロゲンランプ(３６)の点灯と消灯を行うのではなく、遅延タイマー(４２)により、点灯と消灯のタイミングを数秒間遅らせるようにしている。
【００２９】
また、矯正装置(３１)は、筒状本体(３２)の上下の開口部(３３)(３４)に、図２、図４に示す如く、回転自在なガイドローラー(４３)(４４)を各々配置する事により、通過通路(３５)内に於ける熱可塑性樹脂製の個装袋(２２)の円滑な移動を可能としている。また、筒状本体(３２)の外周には、図２、図３に示す如く、一定の空間(４５)を介して筒状の外周枠(４６)を配置する事により、高温状態の筒状本体(３２)に作業者等が誤って接触するのを防止している。この外周枠(４６)は、パンチ加工を施し無数の空気孔を設けたアルミ板で形成し、空間(４５)内の通気性を高めるとともに、送風機(４７)を設置して、空間(４５)内に常に送風を行っている。そのため、外周枠(４６)が高温とならず、人が接触してやけどする等の事故を防止できる。
【００３０】
そして、カップ麺又は納豆の生産ラインに設置した分配装置(２０)にて、熱可塑性樹脂製の個装袋(２２)の分配処理を行うには、収納体(３０)に折り畳んだ状態で収納されている連続する熱可塑性樹脂製の個装袋(２２)を、矯正装置(３１)の筒状本体(３２)内に挿入して、通過通路(３５)を通過させた後、分配装置(２０)の移送手段(２４)である、一対の搬送ベルト(２３)の間隔に、この熱可塑性樹脂製の個装袋(２２)をセットする。
【００３１】
そして、生産ラインを稼働すると、分配装置(２０)も作動して、前記一対の搬送ベルト(２３)が熱可塑性樹脂製の個装袋(２２)を挟持しながら移送方向に移動するので、収納体(３０)から連続した熱可塑性樹脂製の個装袋(２２)が、矯正装置(３１)を介して、分配装置(２０)に連続的に供給されるものとなる。この熱可塑性樹脂製の個装袋(２２)の移動を、分配装置(２０)と矯正装置(３１)との間に配置した透過センサー(４１)が感知して、ハロゲンランプ(３６)の制御機構(３８)に感知信号を送信する。この制御機構(３８)では、この感知信号を受信して数秒後に、ハロゲンランプ(３６)を点灯して、熱可塑性樹脂製の個装袋(２２)への中赤外線の照射を開始する。そして、ハロゲンランプ(３６)の特性により、点灯後は約１秒で最大光量と熱量に達し、折癖の矯正が効率的に行われるものとなる。
【００３２】
そして、筒状本体(３２)の通過通路(３５)内を通過する過程で、熱可塑性樹脂製の個装袋(２２)には中赤外線が照射される。この通過通路(３５)の上下に設けたガイドローラー(４３)(４４)により、連続する熱可塑性樹脂製の個装袋(２２)が通過通路(３５)内を一定スピードで円滑に通過するので、中赤外線を３秒間、均一に照射する事が可能となる。
【００３３】
この中赤外線の照射により、熱可塑性樹脂製の個装袋(２２)の熱可塑性樹脂材が高温で加熱されるので、連結片(２１)の折癖や熱可塑性樹脂製の個装袋(２２)の表面のしわ等が平坦に矯正される。また、この中赤外線の波長では、内容物が加熱されにくいため、３秒間照射しても内容物の変質が生じないものとなる。
【００３４】
上述の如く、連結片(２１)の折癖が良好に矯正されているので、熱可塑性樹脂製の個装袋(２２)は、移送手段(２４)により、連結片(２１)を切断するカッター(２５)方向に水平に移送される。従って、カッター(２５)による連結片(２１)の切り離しが円滑に行われるとともに、個別に分離した熱可塑性樹脂製の個装袋(２２)を吸着パッド(２６)にて確実に吸着し、カップ容器(２８)に投入する事ができる。
【００３５】
また、熱可塑性樹脂製の個装袋(２２)の投入ミス、その他のトラブルにより、生産ラインが非常停止すると、熱可塑性樹脂製の個装袋(２２)の移送が停止するので、透過センサー(４１)が直ちに感知して、制御機構(３８)に感知信号を送信する。そして、制御機構(３８)は、遅延タイマー(４２)の働きにより、感知信号の受信から一定時間の経過後に、ハロゲンランプ(３６)を消灯する。
【００３６】
このように、生産ラインが一時停止しても、数秒間ハロゲンランプ(３６)が点灯しているので、通過通路(３５)内で停止した熱可塑性樹脂製の個装袋(２２)の折癖が確実に矯正される。また、このハロゲンランプ(３６)は、従来熱源とは異なり、消灯後では１〜２秒で、急激に光量と熱量が減少する特性を持つとともに、筒状本体(３２)と外周枠(４６)との間の空間(４５)に、送風機(４７)で常時風を送っている。そのため、消灯後は筒状本体(３２)内の温度が直ちに低下し、通過通路(３５)内の熱可塑性樹脂製の個装袋(２２)が長時間加熱される事がなく、内容物の変質を確実に防ぐものとなる。
【００３７】
そして、生産ラインが再稼働すると、遅延タイマー(４２)により、ハロゲンランプ(３６)が数秒間遅れて点灯するので、前回の稼働で折癖を矯正された熱可塑性樹脂製の個装袋(２２)に中赤外線が照射されず、内容物の変質を生じる事がない。そして、新たに矯正装置(３１)内に移送された熱可塑性樹脂製の個装袋(２２)には、中赤外線の照射が適切に行われ、連結片(２１)の折癖が良好に矯正される。このように、矯正装置(３１)内から、連結片(２１)に折癖のない熱可塑性樹脂製の個装袋(２２)が常に供給されるので、分配装置(２０)での熱可塑性樹脂製の個装袋(２２)の分配処理を円滑に行う事ができる。
【００３８】
また、上記実施例では、ハロゲンランプ(３６)の制御機構(３８)は、透過センサー(４１)から送信される感知信号を受信する事により、ハロゲンランプ(３６)の点灯と消灯とを制御しているが、熱可塑性樹脂製の個装袋(２２)を不透明な素材で形成している場合等は、透過センサー(４１)による感知が困難である。そこで、他の異なる実施例では、図３、図４に示す如く、通過通路(３５)の上部側に設置したガイドローラー(４３)に、円周方向に一定間隔で複数のスリット(４８)を設けた円形のプレート(５０)を取り付けるとともに、このプレート(５０)に臨ませてフォトセンサー(５１)を配置している。このフォトセンサー(５１)が、ガイドローラー(４３)の回転と停止とを検知して、制御機構(３８)に感知信号を送信可能としている。
【００３９】
即ち、熱可塑性樹脂製の個装袋(２２)の連続的な移動に伴って、ガイドローラー(４３)が回転する。この回転により、スリット(４８)を設けたプレート(５０)も回転するので、熱可塑性樹脂製の個装袋(２２)が連続移送される間は、フォトセンサー(５１)では、スリット(４８)による光の透過と遮断の連続的な遷移を感知する。また、熱可塑性樹脂製の個装袋(２２)の移送が停止すると、ガイドローラー(４３)の回転も停止し、この光の透過と遮断の連続的な遷移が停止する。これらの情報により、フォトセンサー(５１)は、熱可塑性樹脂製の個装袋(２２)の移送と移送停止とを判別して、ハロゲンランプ(３６)の制御機構(３８)に感知信号を送信する。
【００４０】
また、上記各実施例では、制御機構(３８)は、矯正装置(３１)に設けた感知センサーからの信号を受信しているが、分配装置(２０)に設けた感知センサーから信号を受信するものであっても良い。この分配装置(２０)は、カッター(２５)や吸着パッド(２６)の作動のタイミングを調整するために、熱可塑性樹脂製の個装袋(２２)の移送状態を感知する各種感知センサーを設置している。これらの感知センサーを共用する事により、矯正装置(３１)に別個に感知センサーを設ける必要がなく、廉価な装置を得る事ができる。
【００４１】
前記感知センサーとして、分配装置(２０)では、例えば一対の搬送ベルト(２３)の間隔に、無接点式のフォトセンサー(図示せず)を配置している。このフォトセンサーは、熱可塑性樹脂製の個装袋(２２)の連結片(２１)と内容物収納部分との凹凸の差を、光の透過量の差として感知して、感知信号を送信可能なものである。また、分配装置(２０)は、移送手段(２４)とカッター(２５)との間に、レジマーク検出センサー(図示せず)を配置する事により、熱可塑性樹脂製の個装袋(２２)の表面に記載されたレジマークを検出して、感知信号を送信可能としたものがある。
【００４２】
また、熱可塑性樹脂製の個装袋(２２)が透明又は半透明で、内容物に着色がある場合は、熱可塑性樹脂製の個装袋(２２)の移送経路に、内容物の色を感知するセンサー(図示せず)を配置する事により、熱可塑性樹脂製の個装袋(２２)の移送状態を感知する事もできる。これらの感知センサーが分配装置(２０)に感知信号を送信した際に、この感知信号を制御機構(３８)でも受信可能とする。そして、制御機構(３８)は熱可塑性樹脂製の個装袋(２２)の移送と移送停止とを判別し、ハロゲンランプ(３６)の点灯と消灯とのタイミングを調整する。
【００４３】
また、上記各実施例では、カップ麺又は納豆の生産ラインに設置した分配装置(２０)に、本発明の折癖の矯正装置(３１)を設けているが、他の食品の製造ラインで使用する事もできる。即ち、みそ汁、お汁粉、ゼリー、ところてん等、適宜の容器に収納された加工食品や天然食品の製造ラインに於いて、調味料、スープなどを封入した熱可塑性樹脂製の個装袋(２２)の折癖の矯正に、本発明の矯正装置(３１)を使用する事ができる。また、食品に限らず、シャンプー、薬品等の内容物を個別に収納した熱可塑性樹脂製の個装袋(２２)の折癖の矯正に、本発明の矯正装置(３１)を使用する事もできる。
【００４４】
【発明の効果】
本発明は上述の如く、連結した熱可塑性樹脂製の個装袋の連結片の折癖を、良好に矯正する事が可能となるので、個別の熱可塑性樹脂製の個装袋に切り離して投入目的部に投入する分配処理を、円滑に行う事ができる。また、ハロゲンランプを使用しているので、熱可塑性樹脂製の個装袋の形成素材が効率的に加熱されて、折癖の矯正を良好に行う事ができるとともに、短時間の照射で済むので、内容物の変質は良好に防止する事ができる。更に、このハロゲンランプの使用により、折癖の矯正処理を、空気を汚さずに安全に行う事ができる。また、矯正装置を、コンパクトで廉価に形成する事ができ、操作も容易に行う事ができる。
【図面の簡単な説明】
【図１】  本発明の矯正装置を設けた、熱可塑性樹脂製の個装袋の分配装置の一実施例の全体図。
【図２】  矯正装置の縦断面図。
【図３】  矯正装置の背面図。
【図４】  矯正装置の側面図。
【図５】  図３のＡ−Ａ断面図。
【図６】  従来の矯正装置を設けた、熱可塑性樹脂製の個装袋の分配装置の全体図。
【図７】  図６の分配装置の拡大断面図。
【符号の説明】
２０  分配装置
２１  連結片
２２  熱可塑性樹脂製の個装袋
３０  収納体
３２  筒状本体
３３  開口部
３４  開口部
３５  通過通路
３６  ハロゲンランプ
４２  遅延タイマー
４３  ガイドローラー
４４  ガイドローラー
【図１】
0003889905.tif 000002
【図２】
0003889905.tif 000003
【図３】
0003889905.tif 000004
【図４】
0003889905.tif 000005
【図５】
0003889905.tif 000006
【図６】
0003889905.tif 000007
【図７】
0003889905.tif 000008